(57)【要約】      （修正有）【課題】ボディソープやシャンプー、リンス等の流動体を充填する据え置き型ボトルＡに詰替用パックＢから詰替用流動体を詰め替える時に安定した状態で使用出来る詰め替え補助器具を提供する。【解決手段】粘性の流動体を収容する据え置き型ボトルＡと、据え置き型ボトルＡの開口Ａａに注出口Ｂａを挿通可能に形成された詰替用流動体を充填した詰替用パックＢと、据え置き型ボトルＡを載置する基台２と、該基台２に立設させた基杆３と、基杆３の長手方向に摺動自在に装着した支持杆４とを備える。さらに、支持杆４の長手方向に摺動自在に先端辺に装着した詰替用パックＢの注出口Ｂａを据え置き型ボトルＡの開口Ａａに挿通させた状態で挟持且つ吊下する挟持部材５と、を備える。【選択図】図１
0003180734.tif 000002
【実用新案登録請求の範囲】
【請求項１】
粘性の流動体を収容する据え置き型ボトルと、該据え置き型ボトルの開口に注出口を挿通可能に形成された詰替用流動体を充填した詰替用パックと、前記据え置き型ボトルを載置する基台と、該基台に立設させた基杆と、該基杆の長手方向に摺動自在に装着した支持杆と、該支持杆の長手方向に摺動自在に先端辺に装着した前記詰替用パックの前記注出口を前記据え置き型ボトルの前記開口に挿通させた状態で挟持且つ吊下する挟持部材と、を備えたことを特徴とする詰め替え補助器具。
【考案の詳細な説明】
【技術分野】
【０００１】
本考案は、詰め替え補助器具に関するものであり、更に詳細には、ボディソープやシャンプー、リンス等の流動体を充填するポンプディスペンサー又はトリガー付き等の据え置き型ボトルに詰替用パックから流動体を詰め替える時に使用する詰め替え補助器具に関するものである。
【背景技術】
【０００２】
この種の据え置き型ボトルはポンプディスペンサー又はトリガー付きのものが多く、使い捨てではコストが高くつくことから、詰替用パックが別売されており、その詰め替えは据え置き型ボトルの流動体が少なくなった時、ポンプディスペンサー又はトリガー付きのキャップを取り外し、詰替用パックのノズル状に形成された抽出口を置き型ボトルの開口に挿通させて注いでいるが、注ぎ終えるまで手で支えた状態で固定して詰め替えている実情である。
【０００３】
然し乍ら、この種の流動体には粘性のあるものが多く、そのため略完全に注出が終わるまで時間がかかり、その間ずっと手で支えて固定してい無ければ成らず、手数と時間がかかり煩わしいため、例えば、先に開示されているものとして、漏斗１Ａが、上端に大径開口部３、下端に小径開口部４を備えた中空多角錐形状を有する。この漏斗１Ａは、平坦に折り畳むことができ、大径開口部３及び小径開口部４を広げた状態で装着容器２０の口部２１に挿入した場合に、装着容器２０と３点以上の複数点で接触し、装着容器２０と漏斗１Ａとの間に空気置換経路を確保できるもの（特許文献１参照）や、詰め替えパックで液体を本体ボトルに注ぐ時の液漏れを防止する為の詰め替えパック補助カバーを提供するもので、あたかも象の背中を断ち割ってお尻にかけて開口して、パック挿着開口部を設け、そこに詰め替えパックを挿着し、二又状の保持面で挟み込めるように形成し、鼻部位を注ぎ部とし、尻尾部位に取手を設け、耳と目の部位は型抜きし、挿着された詰め替えパックが見えるようにする。お腹の部位には詰め替えパックが奥までしっかり挿着されたか分かるように小さな切れ込み部を設け、切れ込み部に挟まれた部分が丁度足に見える様に形成するもの（特許文献２参照））等が開示されている。
【特許文献１】特開２００９−２８６４１３号公報
【特許文献２】特開２０１２−１１１５５３号公報
【考案の開示】
【考案が解決しようとする課題】
【０００４】
然し乍ら、前述の開示されている特許文献１では、大径開口部３及び小径開口部４を広げた状態で装着容器２０の口部２１に挿入した場合に、装着容器２０と３点以上の複数点で接触し、装着容器２０と漏斗１Ａとの間に空気置換経路を確保できるもので、流動体の流速は早くなるものの袋３０から内容物４０の流出を把持したままで待たなければ成らず、また、特許文献２では、鼻部位を注ぎ部とし、尻尾部位に取手を設け、耳と目の部位は型抜きし、挿着された詰め替えパックが見えるようにするものではあるが、安定せず、づれたり、不用意な接触や風により転倒や外れたりするものである。
【課題を解決するための手段】
【０００５】
本考案は前記課題に鑑み、鋭意研鑽の結果、これらの課題を解決するもので、粘性の流動体を収容する据え置き型ボトルと、据え置き型ボトルの開口に注出口を挿通可能に形成された詰替用流動体を充填した詰替用パックと、据え置き型ボトルを載置する基台と、基台に立設させた基杆と、基杆の長手方向に摺動自在に装着した支持杆と、支持杆の長手方向に摺動自在に先端辺に装着した詰替用パックの注出口を据え置き型ボトルの開口に挿通させた状態で挟持且つ吊下する挟持部材と、を備えたものである。
【考案の効果】
【０００６】
本考案の詰め替え補助器具は、据え置き型ボトルを載置する基台と、基台に立設させた基杆と、基杆の長手方向に摺動自在に装着した支持杆と、支持杆の長手方向に摺動自在に先端辺に装着した詰替用パックの注出口を据え置き型ボトルの開口に挿通させた状態で挟持且つ吊下する挟持部材と、を備えたもので、挟持部材で詰替用パックの上方を挟持させて吊り下げるために詰替用流動体が完全に据え置き型ボトルに移動するまで手で支えたり固定したりする必要がないもので、その間、両手が自由に使用でき、画期的で実用性の高い有効な考案である。
【考案を実施するための最良の形態】
【０００７】
以下、本考案の詰め替え補助器具の実施の形態を図面によって具体的に説明すると、図１は本考案の詰め替え補助器具の実施例の説明図である。
【０００８】
本考案は、詰め替え補助器具に関するものであり、更に詳細には、ボディソープやシャンプー、リンス等の流動体を充填するポンプディスペンサー又はトリガー付き等の据え置き型ボトルに詰替用パックから流動体を詰め替える時に使用する詰め替え補助器具１に関するものであり、粘性の流動体を収容する据え置き型ボトルＡと、該据え置き型ボトルＡの開口Ａａに注出口Ｂａを挿通可能に形成された詰替用流動体を充填した詰替用パックＢと、前記据え置き型ボトルＡを載置する基台２と、該基台２に立設させた基杆３と、該基杆３の長手方向に摺動自在に装着した支持杆４と、該支持杆４の長手方向に摺動自在に先端辺に装着した前記詰替用パックＢの前記注出口Ｂａを前記据え置き型ボトルＡの前記開口Ａａに挿通させた状態で挟持且つ吊下する挟持部材５と、を備えたことを特徴とするものである。
【実施例】
【０００９】
即ち、本考案の詰め替え補助器具１は、ボディソープやシャンプー、リンス等の流動体を充填する据え置き型ボトルＡに詰替用パックＢから詰替用流動体を詰め替える時に使用する詰め替え補助器具１に関するものである。
【００１０】
そして、据え置き型ボトルＡは、硬質の合成樹脂で形成されるものが多く、上方に短管状の開口Ａａ部を設け、短管状の開口Ａａの外側にキャップ（図示しない）を螺合させるための螺子が形成されているものである。
【００１１】
次に、キャップは、流動体を収容する据え置き型ボトルＡの開口Ａａを閉蓋すると共に、キャップを貫通し一体的に形成されている上方に流動体を一定量宛吐出するノズルを有し、ポンプディスペンサーを上方から下方に押圧することにより一定量の流動体がノズルから吐出されるものであり、トリガーで吐出するようにしたものもある。
【００１２】
次いで、流動体は、主として、ボディソープやシャンプー、リンス等であり、この種の流動体には粘性のあるものが多く、詰替には時間がかかるものである。
【００１３】
更に、詰替用パックＢは、詰替用流動体が充填されノズル状に注出口Ｂａを形成されており、ノズル状の注出口Ｂａを開封すると共に、据え置き型ボトルＡはキャップを取り、開口Ａａを露出させ、その開口Ａａにノズル状の注出口Ｂａを挿通可能におり、注出口Ｂａから充填されている詰替用流動体を据え置き型ボトルＡに移すものである。
【００１４】
更には、基台２は、安定して床や台の上に載置できる矩形状のもので良く、適宜な重量が有る方がより好適なものであり、略中央に据え置き型ボトルＡを載置するものである。
【００１５】
次に、基杆３は、基台２を貫通させて基台２の裏面からボルトで固定する等の手段により上下方向に立設させているもので、据え置き型ボトルＡの上方の開口Ａａから詰替用パックＢの詰替用流動体を充填するので十分な高さを有するものである。
【００１６】
次いで、支持杆４は、基杆３の長手方向に摺動自在に支持杆接続部４ａを介して装着したもので、支持杆接続部４ａは上下方向に基杆３を貫通させ、摺動自在に且つ横方向に蝶ネジ等を立設させることにより、任意の位置で固定できるものであり、水平方向に支持杆４を延設しているものである。
【００１７】
加えて、挟持部材５は、紙挟みのようなもので良く、支持杆４の長手方向に摺動自在に先端辺に装着しているものであり、更には、詰替用パックＢのノズル状に形成された注出口Ｂａを据え置き型ボトルＡの開口Ａａに挿通させた状態で挟持且つ吊下させているものである。
【００１８】
つまり、本考案の詰め替え補助器具１は、先ず、適宜な位置に載置して、空になった据え置き型ボトルＡを基台２の上に置き、詰替用パックＢのノズル状の注出口Ｂａを開封して、据え置き型ボトルＡの開口Ａａに挿通させ詰替用流動体を詰替用パックＢから据え置き型ボトルＡに移すものであり、この状態を維持しつつ、挟持部材５で詰替用パックＢの上方を挟持且つ吊り下げさせるものである。
【００１９】
そして、沿えている手をゆっくり離しても詰替用パックＢは挟持部材５に挟持且つ吊下されており、ユーザは他の仕事を出来るもので、粘性を有する流動体を完全に移るまで放置可能なものである。
【産業上の利用可能性】
【００２０】
本考案は、据え置き型ボトルを載置する基台と、基台に立設させた基杆と、基杆の長手方向に摺動自在に装着した支持杆と、支持杆の長手方向に摺動自在に先端辺に装着した詰替用パックの注出口を据え置き型ボトルの開口に挿通させた状態で挟持且つ吊下する挟持部材と、を備えたもので、挟持部材で詰替用パックの上方を挟持させて吊り下げるために詰替用流動体が完全に据え置き型ボトルに移動するまで手で支えたり固定したりする必要がないもので、両手が自由に使用できる、詰め替え補助器具を提供するものである。
【図面の簡単な説明】
【００２１】
【図１】図１は本考案の詰め替え補助器具の実施例の説明図である。
【符号の説明】
【００２２】
Ａ      据え置き型ボトル
Ａａ    開口
Ｂ      詰替用パック
Ｂａ    注出口
１      詰め替え補助器具
２      基台
３      基杆
４      支持杆
５      挟持部材
【図１】
0003180734.tif 000003